【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
記録媒体にレーザ光を照射する光源を有する光源を有するキャリッジと、前記レーザ光を前記記録媒体に集光する対物レンズを有し前記記録媒体に向けて前記キャリッジと重ねて配置され前記キャリッジとの相対的位置関係を調整するための調整用部位を前記キャリッジの端部より突出させて設けたアクチュエータと、を備えた情報再生装置の製造方法であって、
前記記録媒体、前記アクチュエータ、前記キャリッジの順に配置する第１工程と、
前記アクチュエータに設けられた調整用部位と係合する調整用支持棒を、前記キャリッジの側から前記アクチュエータの方向に移動させて前記調整用部位に係合させ、前記記録媒体に対する前記アクチュエータの位置を規制する第２工程と、
前記記録媒体に対する位置が規制されたアクチュエータと前記キャリッジとの相対的位置関係を調整する第３工程と、
前記相対的位置関係が調整されたアクチュエータとキャリッジとを固定する第４工程と、からなることを特徴とする情報再生装置の製造方法。
【請求項２】
前記調整用部位は複数設けられており、前記複数の調整用部材のうち少なくとも１つはＵ字状の撓んだ形状であることを特徴とする請求項１記載の情報再生装置の製造方法。
【請求項３】
前記調整用部位は３個設けられており、この３個の調整用部位によって形成される三角形の内部に前記アクチュエータの重心が存在するよう前記調整用部位は配置されていることを特徴とする請求項１記載の情報再生装置の製造方法。
【請求項４】
前記キャリッジは、前記記録媒体からの反射光を受光する受光センサをその一方の側面に有し、前記アクチュエータは、前記受光センサ側に前記３個の調整用部位のうち１個の調整用部位のみを有していることを特徴とする請求項３記載の情報再生装置の製造方法。
【請求項５】
前記第３工程は、前記記録媒体を回転駆動させた状態で前記アクチュエータと前記キャリッジとの相対的位置関係を調整することを特徴とする請求項１記載の情報再生装置の製造方法。
【請求項６】
記録媒体にレーザ光を照射する光源を有する光源を有するキャリッジと、前記レーザ光を前記記録媒体に集光する対物レンズを有し前記記録媒体に向けて前記キャリッジと重ねて配置され前記キャリッジとの相対的位置関係を調整するための調整用部位を前記キャリッジの端部より突出させて設けたアクチュエータと、を備えたことを特徴とする情報再生装置。
【請求項７】
記録媒体にレーザ光を照射する光源を有する光源を有するキャリッジと、前記レーザ光を前記記録媒体に集光する対物レンズを有し前記記録媒体に向けて前記キャリッジと重ねて配置され前記キャリッジとの相対的位置関係を調整するための調整用部位を前記キャリッジの端部より突出させて設けたアクチュエータと、を備え、
前記調整用部位は、前記アクチュエータと前記キャリッジとの相対的位置関係を調整する際、前記記録媒体に対する前記アクチュエータの位置を規制する調整用支持棒と係合することを特徴とする情報再生装置。
【請求項８】
前記調整用部位は複数設けられており、前記複数の調整用部材のうち少なくとも１つはＵ字状の撓んだ形状であることを特徴とする請求項６又は請求項７記載のいずれかに記載の情報再生装置。
【請求項９】
前記調整用部位は３個設けられており、この３個の調整用部位によって形成される三角形の内部に前記アクチュエータの重心が存在するよう前記調整用部位は配置されていることを特徴とする請求項６又は請求項７記載のいずれかに記載の情報再生装置。
【請求項１０】
前記キャリッジは、前記記録媒体からの反射光を受光する受光センサをその一方の側面に有し、前記アクチュエータは、前記受光センサ側に前記３個の調整用部位のうち１個の調整用部位のみを有していることを特徴とする請求項９記載の情報再生装置。
【手続補正２】
【補正対象書類名】明細書
【補正対象項目名】００１６
【補正方法】変更
【補正の内容】
【００１６】
本発明の情報再生装置の製造方法は上記課題に鑑みてなされたもので、記録媒体にレーザ光を照射する光源を有する光源を有するキャリッジと、レーザ光を記録媒体に集光する対物レンズを有し記録媒体に向けてキャリッジと重ねて配置されキャリッジとの相対的位置関係を調整するための調整用部位をキャリッジの端部より突出させて設けたアクチュエータと、を備えた情報再生装置の製造方法であって、記録媒体、アクチュエータ、キャリッジの順に配置する第１工程と、アクチュエータに設けられた調整用部位と係合する調整用支持棒を、キャリッジの側からアクチュエータの方向に移動させて調整用部位に係合させ、記録媒体に対するアクチュエータの位置を規制する第２工程と、記録媒体に対する位置が規制されたアクチュエータとキャリッジとの相対的位置関係を調整する第３工程と、相対的位置関係が調整されたアクチュエータとキャリッジとを固定する第４工程と、からなるものである。
【手続補正３】
【補正対象書類名】明細書
【補正対象項目名】００１８
【補正方法】変更
【補正の内容】
【００１８】
本発明の情報再生装置の製造方法は、記録媒体にレーザ光を照射する光源を有する光源を有するキャリッジと、レーザ光を記録媒体に集光する対物レンズを有し記録媒体に向けてキャリッジと重ねて配置されキャリッジとの相対的位置関係を調整するための調整用部位をキャリッジの端部より突出させて設けたアクチュエータと、を備えた情報再生装置の製造方法であって、記録媒体、アクチュエータ、キャリッジの順に配置する第１工程と、アクチュエータに設けられた調整用部位と係合する調整用支持棒を、キャリッジの側からアクチュエータの方向に移動させて調整用部位に係合させ、記録媒体に対するアクチュエータの位置を規制する第２工程と、記録媒体に対する位置が規制されたアクチュエータとキャリッジとの相対的位置関係を調整する第３工程と、相対的位置関係が調整されたアクチュエータとキャリッジとを固定する第４工程と、からなるものである。これによってキャリッジ、アクチュエータ、記録媒体といったあらゆる誤差要因を含む状態で調整が可能となるため、システムとして収差の発生を防止することができ、情報再生装置の生産歩留まりを向上させ、製造工程を簡素化でき製造コストを低く抑えることができる。また、キャリッジ、アクチュエータ、記録媒体といったあらゆる誤差要因を含む状態での調整をアクチュエータで一括して行うことができ、調整工程を簡略化することができる。また、情報再生装置に全てのメカニズムを組み付けた状態で、記録媒体とアクチュエータの相対位置関係を調整できるため、製造工程を簡素化でき製造コストを低く抑えることができる。
【手続補正４】
【補正対象書類名】明細書
【補正対象項目名】００１９
【補正方法】変更
【補正の内容】
【００１９】
また本発明は、調整用部位を複数設け、複数の調整用部材のうち少なくとも１つはＵ字状の撓んだ形状としたものである。これによってＵ字状の撓んだ形状によってバネ性を持つので、このバネ性の付勢力によって調整用部位は調整用支持棒にガタなく支持されることが可能となる。また、アクチュエータに調整用支持棒を取付ける際に多少無理な応力が加わってアクチュータや調整用支持棒の破損を防止できる。
【手続補正５】
【補正対象書類名】明細書
【補正対象項目名】００２０
【補正方法】変更
【補正の内容】
【００２０】
また本発明は、調整用部位を３個設け、この３個の調整用部位によって形成される三角形の内部にアクチュエータの重心が存在するよう調整用部位を配置したものである。これによって調整用部位に調整用支持棒を取付けた際の回転力を小さくでき、安定した調整を行うことができる。
【手続補正６】
【補正対象書類名】明細書
【補正対象項目名】００２１
【補正方法】変更
【補正の内容】
【００２１】
また本発明は、キャリッジは、記録媒体からの反射光を受光する受光センサをその一方の側面に有し、アクチュエータは、受光センサ側に３個の調整用部位のうち１個の調整用部位のみを有しているものである。これによって調整用部位へのアクセスが容易となる。
【手続補正７】
【補正対象書類名】明細書
【補正対象項目名】００２２
【補正方法】変更
【補正の内容】
【００２２】
また本発明は、第３工程では、記録媒体を回転駆動させた状態でアクチュエータとキャリッジとの相対的位置関係を調整するようにしたものである。これによって情報再生装置の内部信号を調整に活用することができ、簡単に調整を行うことができる。
【手続補正８】
【補正対象書類名】明細書
【補正対象項目名】００２３
【補正方法】変更
【補正の内容】
【００２３】
本発明の情報再生装置は、記録媒体にレーザ光を照射する光源を有する光源を有するキャリッジと、レーザ光を記録媒体に集光する対物レンズを有し記録媒体に向けてキャリッジと重ねて配置されキャリッジとの相対的位置関係を調整するための調整用部位をキャリッジの端部より突出させて設けたアクチュエータと、を備えたものである。これによってアクチュエータの一部に突出して設けられた調整用部位をキャリッジから露出させて直接目視可能としたので、キャリッジを跨いで調整用支持棒をアクチュエータに簡単に取付けることができる。
【手続補正９】
【補正対象書類名】明細書
【補正対象項目名】００２４
【補正方法】変更
【補正の内容】
【００２４】
本発明の情報再生装置は、記録媒体にレーザ光を照射する光源を有する光源を有するキャリッジと、レーザ光を記録媒体に集光する対物レンズを有し記録媒体に向けてキャリッジと重ねて配置されキャリッジとの相対的位置関係を調整するための調整用部位をキャリッジの端部より突出させて設けたアクチュエータと、を備え、調整用部位は、アクチュエータとキャリッジとの相対的位置関係を調整する際、記録媒体に対するアクチュエータの位置を規制する調整用支持棒と係合するようにしたものである。これによってアクチュエータの一部に突出して設けられた調整用部位をキャリッジから露出させて直接目視可能としたので、キャリッジを跨いで調整用支持棒をアクチュエータに簡単に取付けることができる。
【手続補正１０】
【補正対象書類名】明細書
【補正対象項目名】００２５
【補正方法】変更
【補正の内容】
【００２５】
本発明の情報再生装置は、調整用部位を複数設け、複数の調整用部材のうち少なくとも１つはＵ字状の撓んだ形状としたものである。これによってＵ字状の撓んだ形状によってバネ性を持つので、このバネ性の付勢力によって調整用部位は調整用支持棒にガタなく支持されることが可能となる。また、アクチュエータに調整用支持棒を取付ける際に多少無理な応力が加わってアクチュータや調整用支持棒の破損を防止できる。
【手続補正１１】
【補正対象書類名】明細書
【補正対象項目名】００２６
【補正方法】変更
【補正の内容】
【００２６】
本発明の情報再生装置は、調整用部位を３個設け、この３個の調整用部位によって形成される三角形の内部にアクチュエータの重心が存在するよう調整用部位を配置したものである。これによって調整用部位に調整用支持棒を取付けた際の回転力を小さくでき、安定した調整を行うことができる。
【手続補正１２】
【補正対象書類名】明細書
【補正対象項目名】００２７
【補正方法】変更
【補正の内容】
【００２７】
本発明の情報再生装置は、キャリッジは、記録媒体からの反射光を受光する受光センサをその一方の側面に有し、アクチュエータは、受光センサ側に３個の調整用部位のうち１個の調整用部位のみを有しているものである。これによって調整用部位へのアクセスが容易となる。